(57)【特許請求の範囲】
【請求項１】
円筒部を有する固定部材と、前記円筒部に回転可能に取り付けられた回転部材と、回転刃を有し前記円筒部の先端に取り付けられた切断工具と、被覆管切込み方向に移動可能に前記回転部材の前面に保持され、支持部材を備えた第１保持部材と、第１保持部材に固定された第２保持部材と、第２保持部材に取り付けられ、被覆管を前記支持部材とともに保持する押え部材と、先端部が前記第１保持部材に連結され、前記回転部材に取り付けられた切込み調整ねじとを備えていることを特徴とする線状体被覆管の切断装置。
【請求項２】
円筒部を有する固定部材と、前記円筒部の先端に回転可能に取り付けられた回転部材と、回転刃を有し前記円筒部の先端部に取り付けられた切断工具と、被覆管切込み方向に移動可能に前記回転部材に保持された可動筒と、先端部が前記可動筒に連結され前記回転部材に取り付けられた切込み調整ねじと、前記固定部材と可動筒との間に設けられた歯付きベルト伝動機構とからなり、前記歯付きベルト伝動機構が前記円筒部の先端部に固定された第１歯付きプーリーと、前記可動筒に回転可能に取り付けられた第２歯付きプーリーと、第１歯付きプーリーと第２歯付きプーリーとに掛け渡された歯付きベルトとからなり、第２歯付きプーリーにこれを貫通する被覆管保持筒が係止されていることを特徴とする線状体被覆管の切断装置。
【発明の詳細な説明】
【０００１】
【発明の属する技術分野】
この発明は、線状体を切断することなく被覆管のみを切断する線状体被覆管の切断装置に関する。この発明の切断装置は、光ファイバ、電線などの線状体を被覆管端から露出させるなどの場合に、線状体が挿入された被覆管の切断に用いられる。
【０００２】
【従来の技術】
光ファイバが挿入された被覆管を、光ファイバを傷付けることなく切断する切断工具として、特開平２−４１１９６号公報で開示された切断具がある。この切断具は、支持ローラーと切断刃とで被覆管を挟持した状態で、切断刃を被覆管回りに回転して被覆管を切断する。切込み量調節ストッパーで切込み量をあらかじめ調節しておけば、光ファイバまで切り込むことはない。
【０００３】
上記従来の切断装置は、切断刃を保持する本体をつかんで、切断刃を被覆管回りを回転させるので、切断速度が遅く切断部にバリが生じていた。このバリのために、光ファイバが傷付くことがあった。また、被覆管がらせん状またはベローズ状のたわみ管であると、らせんまたはベローズの山の頂と谷底との間の傾斜面で刃先が逃げて、被覆管を切断できないことがあった。
【０００４】
【発明が解決しようとする課題】
この発明は、被覆管の切断部にバリが生じず、たわみ管であっても確実に切断できる線状体被覆管の切断装置を提供することを課題としている。
【０００５】
【課題を解決するための手段】
第１発明の線状体被覆管の切断装置は、円筒部を有する固定部材と、前記円筒部に回転可能に取り付けられた回転部材と、回転刃を有し前記円筒部の先端に取り付けられた切断工具と、被覆管切込み方向に移動可能に前記回転部材の前面に保持され、支持部材を備えた第１保持部材と、第１保持部材に固定された第２保持部材と、第２保持部材に取り付けられ、被覆管を前記支持部材とともに保持する押え部材と、先端部が前記第１保持部材に連結され、前記回転部材に取り付けられた切込み調整ねじとを備えている。
【０００６】
上記線状体被覆管の切断装置において、第１保持部材と第２保持部材とで被覆管を保持した状態で切込み調整ねじを回して所定の切込み深さに設定する。被覆管の端部を被覆管が自転しないように握って回転部材を固定部材の円筒部中心軸線周りを回転させ、被覆管を回転刃周りを周回させる。被覆管が回転刃周りを１周すると、被覆管は全周にわたり切り込まれる。つぎに、ふたたび切込み調整ねじを回して切込み量を大きくし、更に深く切り込ませる。この操作を被覆管が切断されるまで繰り返す。被覆管を保持して回転刃で切断するので、切断部にバリが生じず、たわみ管であっても確実に切断できる。
【０００７】
第２発明の線状体被覆管の切断装置は、円筒部を有する固定部材と、前記円筒部の先端に回転可能に取り付けられた回転部材と、回転刃を有し前記円筒部の先端部に取り付けられた切断工具と、被覆管切込み方向に移動可能に前記回転部材に保持された可動筒と、先端部が前記可動筒に連結され前記回転部材に取り付けられた切込み調整ねじと、前記固定部材と可動筒との間に設けられた歯付きベルト伝動機構とからなり、前記歯付きベルト伝動機構が前記円筒部の先端部に固定された第１歯付きプーリーと、前記可動筒に回転可能に取り付けられた第２歯付きプーリーと、第１歯付きプーリーと第２歯付きプーリーとに掛け渡された歯付きベルトとからなり、第２歯付きプーリーにこれを貫通する被覆管保持筒が係止されている。
【０００８】
上記線状体被覆管の切断装置において、被覆管切断方法は第１発明の装置と同じである。第２発明の切断装置では、被覆管が回転刃周りを周回すると、第２歯付きプーリーも回転部材と同じ角度だけ回転する。したがって、被覆管保持筒に保持された被覆管は、回転刃周りを周回しても自転することはない。
【０００９】
【発明の実施の形態】
図１〜図３は、第１発明の実施の１形態を示している。線状体被覆管の切断装置は主として、固定部材１０、回転部材１５、切断工具２５、第１保持部材３５、第２保持部材５０、および切込み調整ねじ６０からなっている。
【００１０】
固定部材１０は、支持部１１および円筒部１２を備えている。支持部１１はケーシングとなっており、切断工具２５の回転刃駆動モーター３３を収納している。支持部１１はスタンド１３に固定されている。円筒部１２は支持部１１から水平に延びており、切断工具本体２６が貫通している。
【００１１】
回転部材１５は、図２に示すように正面から見ると弓形をしている。回転部材１５は直線部(弓形の弦に相当する部分)寄りに貫通穴１７が設けられている。上記固定部材１０の円筒部１２が貫通穴１７に回転可能にはめ合っている。ダブテイル形の案内めす部１９が、回転部材１５の前面中央に径方向に沿って延びている。回転部材１５は先端側(図１で右側)の外周に円弧部２１が設けられている。円弧部は回転部材１５の前面から突出しており、後述の切込み調整ねじ６０がはめ合うめねじ２２が切られている。
【００１２】
切断工具２５は、切断工具本体２６が上記固定部材１０の円筒部１２の内側に挿入され、固定されている。切断工具本体２６のチャック２８に、回転軸３０が着脱可能に取り付けられている。回転刃３１が回転軸３０の先端に固定されている。回転刃３１として、ダイヤモンド電着ディスク、メタルボンドダイヤモンドディスク、レジンボンドダイヤモンドディスクなどの研削砥石が用いられる。回転刃駆動モーター３３が切断工具本体２６の後端に固定されている。回転刃駆動モーター３３の出力軸(図示しない)は、上記チャック２８を介して回転刃３１の回転軸３０に連結されている。回転刃３１の回転速度は、例えば８,０００〜３５,０００RPM である。
【００１３】
第１保持部材３５と第２保持部材５０とはそれぞれ半円形をしており、対となっている。第１保持部材３５は、裏面側に上記案内めす部１９にはめ合うダブテイル形の案内おす部３６が形成されている。第１保持部材３５の中央部に貫通穴３８が設けられており、ここから回転刃３１の回転軸３０の先端部が突き出ている。固定部材１０に支持された回転刃３１は、第１保持部材３５の前面近くに位置している。第１保持部材３５の中央部外周に、ボス４０が形成されている。ボス４０には、あご４２をもつ連結穴４１があいている。第１保持部材３５の直線部(半円の弦に相当する部分)４３の中央に、支持部材４５が設けられている。図４に示すように、支持部材４５のケーシング４６内に２組の軸受４７がコイルばね４８で支持されている。各軸受４７に支持ローラー４９が取り付けられている。支持ローラー４９の上面は、第１保持部材３５の直線部４３より少し出ている。
【００１４】
第２保持部材５０は一方の側で第１保持部材３５にピン連結５８されており、第２保持部材５０は第１保持部材３５に対し開閉可能となっている。第１保持部材３５と第２保持部材５０との直線部４３、５１が接した、閉じた状態で両部材３５、５０はねじ５９で締め付けられる。第２保持部材５０の中央部に切断する被覆管５の最大径より少し大きい貫通穴５２が設けられている。第２保持部材５０の前面には、押え金具５３が支持軸５６により回転可能に取り付けられている。押え金具５３は、図５に示すように被覆管５の直径に応じて大きさの異なる複数(この例では８個)の溝５４が設けられている。溝底は曲率半径が被覆管半径よりわずかに大きな半円弧状をしており、溝５４の深さは被覆管５の直径よりわずかに大きくなっている。
【００１５】
切込み調整ねじ６０は、回転部材１５の円弧部２１のめねじ２２にはめ合っている。切込み調整ねじ６０の先端部は前記第１保持部材３５の連結穴４１に挿入され、第１保持部材３５に連結される。切込み調整ねじ６０は第１保持部材３５に対し回転可能であり、先端部の突起６２が連結穴４１のあご４２に掛って抜け出ないようになっている。
【００１６】
上記のように構成された線状体被覆管の切断装置の作用を説明する。固定部材１０のスタンド１３を床に固定する。第１保持部材３５または第２保持部材５０をつかみ、回転してこれらの直線部４３、５１が水平となる姿勢に保持する。切断する被覆管５の直径に対応する大きさの溝５４が、直線部４３、５１の位置に来るように押え金具５３を回転し、固定ナット５７で固定する。第２保持部材５０を開き、線状体１が挿入された被覆管５を支持ローラー４９の上に置く。第２保持部材５０を閉じ、被覆管５を支持ローラー４９と押え金具５３とで保持する。支持ローラー４９の軸受４７はコイルばね４８で支えられているので、被覆管５はゆるく保持される。回転刃駆動モーター３３を駆動し、切込み調整ねじ６０を回して回転刃３１を被覆管５に少し切り込ませたのち、切込み調整ねじ６０により所定の切込み深さに設定する。
【００１７】
被覆管５の端部を被覆管が自転しないように握って回転部材１５を固定部材１０の円筒部中心軸線周りを回転させる。回転部材１５の回転に伴い、被覆管５は回転刃３１により切り込まれながら、回転刃３１の周りを周回する。被覆管５は支持ローラー４９と押え金具５３との間でゆるく保持されているので、第１保持部材３５および第２保持部材５０が回転しても、前述のように被覆管５の端部を被覆管が自転しないように握っておれば被覆管５が自転しないようにできる。回転刃３１を１周すると切込み調整ねじ６０を回して切込み量を大きくし、再び回転刃３１周りに被覆管５を周回させる。この操作を被覆管５が切断されるまで繰り返す。
【００１８】
図６および図７は、第２発明の実施の１形態を示している。線状体被覆管の切断装置は主として、固定部材６５、回転部材７０、切断工具２５、可動筒８０、切込み調整ねじ６０、歯付きベルト伝動機構９０および被覆管保持筒１００からなっている。第１発明の切断装置の部材と同様の部材には同じ参照符号をつけ、詳細な説明は省略する。
【００１９】
固定部材６５は、円筒部６６とスタンド６７とからなっている。円筒部６６は切断工具２５を内臓している。
【００２０】
回転部材７０は、図７に示すように正面から見ると全体として円形をしており、中央部に軸穴７１が貫通している。この軸穴７１に軸受７２がはめ合っており、回転部材７０は軸受７２を介して上記固定部材６５の円筒部先端に回転可能に取り付けられている。また、外周寄りにＵ字形の可動筒穴７５が貫通している。可動筒穴７５の両側にダブテイル形の案内めす部７６が外周に向かって延びている。円弧部７８が、回転部材７０の中央部外周から突出している。切込み調整ねじ６０がはめ合うめねじ７９が、円弧部７８に切られている。
【００２１】
可動筒８０は、上記可動筒穴７５に挿入されている。可動筒８０の両側に上記案内めす部７６にはめ合うダブテイル形の案内おす部８１が設けられている。可動筒８０は案内めす部７６に案内されて回転部材径方向に移動可能である。
【００２２】
切込み調整ねじ６０は、回転部材７０の前記円弧部７８に設けられためねじ７９にはめ合っている。切込み調整ねじ６０の先端部が前記可動筒８０の連結穴８３に挿入され、可動筒８０に切込み調整ねじ６０が連結される。切込み調整ねじ６０は、可動筒８０に対し回転可能であり、先端部の突起６２が連結穴８３のあご８４に掛って抜け出ないようになっている。
【００２３】
歯付きベルト伝動機構９０は、第１歯付きプーリー９１、第２歯付きプーリー９４、歯付きベルト９６、および張りプーリー９８からなっている。第１歯付きプーリー９１は、固定部材６５の先端部にブッシュ９２を介して固定されている。第２歯付きプーリー９４は、可動筒８０の後端部に軸受９５を介して回転可能に取り付けられている。第１歯付きプーリー９１と第２歯付きプーリー９４との間に歯付きベルト９６が掛け渡されている。張りプーリー９８は回転部材７０に支持されており、歯付きベルト９６の中央部を押えて歯付きベルト９６の緩みを防ぐ。
【００２４】
被覆管保持筒１００は第２歯付きプーリー９４を貫通し、先端部が回転部材７０の貫通穴７５内まで延びている。被覆管保持筒１００の後端部は第２歯付きプーリー９４の内径に軽いしまりばめとなっており、被覆管保持筒１００は第２歯付きプーリー９４に着脱可能に保持されている。被覆管５は、被覆管保持筒１００の先端部の内側にゆるくはめ合って保持される。
【００２５】
上記のように構成された線状体被覆管の切断装置の作用を説明する。固定部材６５のスタンド６７を床に固定する。被覆管５を被覆管保持筒１００に挿入し、保持する。切込み調整ねじ６０により、所定の切込み深さに設定する。被覆管５の端部を握って回転部材７０を固定部材６５の円筒部中心軸線周りを回転させる。回転部材７０の回転に伴い、被覆管５は回転刃３１周りを周回する。このとき、第２歯付きプーリー９４も回転部材７０と同じ角度だけ回転するので、被覆管保持筒１００に保持された被覆管５は回転刃３１周りを周回しても自転することはない。被覆管５が回転刃３１周りを１周すると切込み調整ねじ６０を回して切込み量を大きくし、回転刃３１周りに被覆管を周回させる。この操作を被覆管が切断されるまで繰り返す。
【００２６】
【発明の効果】
この発明の切断装置では、被覆管を保持して回転刃３１で切断するので、切断部にバリが生じず、たわみ管であっても確実に切断できる。
【図面の簡単な説明】
【図１】第１発明の実施の１形態を示す切断装置の側面図である。
【図２】図１に示す装置の正面図である。
【図３】図１に示す装置の底面図である。
【図４】図１に示す装置の支持部材４５の斜視図である。
【図５】図１に示す装置の押え金具の斜視図である。
【図６】第２発明の実施の１形態を示す切断装置の側面図である。
【図７】図６に示す装置の正面図である。
【符号の説明】
１  線状体                          ５  被覆管
１０、６５  固定部材 １２、６６  円筒部
１５  回転部材 ２５  切断工具
３１  回転刃 ３５  第１保持部材
４５  支持部材 ５０  第２保持部材
５３  押え金具 ６０  切込み調整ねじ
７０  回転部材 ８０  可動筒
９０  歯付きベルト伝動機構 ９１  第１歯付きプーリー
９４  第２歯付きプーリー ９６  歯付きベルト
１００  被覆管保持筒
【図１】
0003751174.tif 000002
【図２】
0003751174.tif 000003
【図３】
0003751174.tif 000004
【図４】
0003751174.tif 000005
【図５】
0003751174.tif 000006
【図６】
0003751174.tif 000007
【図７】
0003751174.tif 000008